(57)【要約】【課題】  小形スイッチ本体のフランジとパネル間の防水用ゴムとネジリコイルばねの役目を併せ持つように構成した小形スイッチを提供する。【解決手段】小形スイッチにおいて、小形スイッチ本体のフランジ２とパネル５間の防水用ゴムとネジリコイルばねの役目を併せ持つように構成した。【選択図】  図３
2017084708.tif 000002
【特許請求の範囲】
【請求項１】
小形スイッチ本体のフランジとパネル間の防水用ゴムとネジリコイルばねの役目を併せ持つように構成したことを特徴とする小形スイッチ。
【請求項２】
請求項１記載の小形スイッチにおいて、前記小形スイッチ本体のフランジとパネル間の防水用ゴムはカバーの内側周辺に配置されるエラストマー単品であることを特徴とする小形スイッチ。
【請求項３】
請求項２記載の小形スイッチにおいて、前記エラストマー単品はカバー（パネル）の内側にフック形状に引っ掛けられるエラストマーばね部を有することを特徴とする小形スイッチ。                                        
【請求項４】
請求項２記載の小形スイッチにおいて、前記エラストマー単品はフランジとパネル間の防水用Ｏリング部を有することを特徴とする小形スイッチ。
【発明の詳細な説明】
【技術分野】
【０００１】
本発明は、小形スイッチに係り、特に小形スイッチ本体のフランジとパネル間の防水用ゴムとネジリコイルばねの役目を併せ持つようにした小形スイッチに関するものである。
【背景技術】
【０００２】
従来、小形スイッチを不意に操作することを防止するタイプの小形スイッチにはカバー（パネル）１０１の開閉には、例えば図９及び図１０に示すように、自動開閉用として単独のネジリコイルばねに防水機能をもたせるためには、例えば、図１１〜図１３に示すように、カバー２０１にはＯリング２０２を設ける必要があった。なお、２０３はフランジである。
【先行技術文献】
【特許文献】
【０００３】
【特許文献１】特開昭６２−１７７８１５号公報
【特許文献２】実公平６−４３９５５号公報
【発明の概要】
【発明が解決しようとする課題】
【０００４】
しかしながら、上記のように、カバーにネジリコイルばね及びＯリングを別個に設けるには、部品点数が増えると共に、工数が多くなりその分小形スイッチのコストが嵩むといった問題があった。
【０００５】
本発明は、上記状況に鑑みて、小形スイッチ本体のフランジとパネル間の防水用ゴムとネジリコイルばねの役目を併せ持つようにした小形スイッチを提供することを目的とする。
【課題を解決するための手段】
【０００６】
本発明は、上記目的を達成するために、
〔１〕小形スイッチにおいて、小形スイッチ本体のフランジとパネル間の防水用ゴムとネジリコイルばねの役目を併せ持つように構成したことを特徴とする。
【０００７】
〔２〕上記〔１〕記載の小形スイッチにおいて、前記小形スイッチ本体のフランジとパネル間の防水用ゴムはカバーの内側周辺に配置されるエラストマー単品であることを特徴とする。
【０００８】
〔３〕上記〔２〕記載の小形スイッチにおいて、前記エラストマー単品はカバー（パネル）の内側にフック形状に引っ掛けられるエラストマーばね部を有することを特徴とする。
【０００９】
〔４〕上記〔２〕記載の小形スイッチにおいて、前記エラストマー単品は前記小形スイッチ本体のフランジとパネル間の防水用Ｏリング部を有することを特徴とする。
【発明の効果】
【００１０】
本発明によれば、小形スイッチ本体のフランジとパネル間の防水用ゴムとネジリコイルばねの役目を併せ持つように構成したので、部品点数が減ると共に、工数が低減され、その分小形スイッチのコストを低減することができる。
【図面の簡単な説明】
【００１１】
【図１】本発明の実施例を示す小形スイッチの外観斜視図である。
【図２】本発明の実施例を示す小形スイッチのエラストマーばね部を示す拡大図である。
【図３】本発明の実施例を示す小形スイッチのエラストマー単品の配置を示す平面図である。
【図４】本発明の実施例を示す小形スイッチのエラストマー単品の配置を示す側面図である。
【図５】本発明の実施例を示す小形スイッチのエラストマー単品を示す平面図である。
【図６】本発明の実施例を示すエラストマー単品を有する小形スイッチの分解斜視図である。
【図７】図６の小形スイッチの上面図である。
【図８】図７のＢ−Ｂ線断面図である。
【図９】従来のカバー（パネル）の開閉装置としてネジリコイルばねを有する小形スイッチの斜視図である。
【図１０】従来のカバー（パネル）の開閉装置としてのネジリコイルばねの配置を示す図である。
【図１１】従来のカバー（パネル）の防水装置としてＯリングを有する側面図である。
【図１２】従来のカバー（パネル）の防水装置としてＯリングの配置を示す平面図である。
【図１３】従来のカバー（パネル）の防水装置としてＯリング単品を示す図である。
【発明を実施するための形態】
【００１２】
本発明の小形スイッチは、小形スイッチ本体のフランジとパネル間の防水用ゴムとネジリコイルばねの役目を併せ持つように構成した。
【実施例】
【００１３】
以下、本発明の実施の形態について詳細に説明する。
【００１４】
本発明の実施例を示す図１〜図８において、１はカバー（透明）、２は小形スイッチ本体のフランジ、２Ａはフランジの凸部、３はエラストマー単品、３Ａはフランジの凸部２Ａに掛けられるエラストマーばね部、３Ｂはフランジとパネル間の防水用Ｏリング部、４は水、５はパネルである。
【００１５】
本発明は、小形スイッチにおいて、小形スイッチ本体のフランジとパネル間の防水用ゴムとネジリコイルばねの役目を併せ持つようにした。
【００１６】
そのカバーの防水用ゴムはカバーの内側周辺に配置されるエラストマー単品３であり、そのエラストマー単品３はカバー１の内側にフック形状に引っ掛けられるエラストマーばね部３Ａを有する。また、そのエラストマー単品３はフランジとパネル間の防水用Ｏリング部３Ｂを有する。
【００１７】
また、エラストマーばねによりパネル５と小形スイッチ本体のフランジ２間の水４の進入を防ぐ。
【００１８】
なお、図５に示した小形スイッチ本体のフランジとパネル間の防水用Ｏリング部３Ｂは、カバー１の形状がほぼ円形状であるので、それに対応した円形となっているが、カバー１の形状が四角形状である場合には、それに対応した角形にできることは言うまでもない。
【００１９】
また、小形スイッチ本体のフランジとパネル間の防水用Ｏリング部３Ｂは、防塵、防まつ、防滴機能を有することも言うまでもない。
【００２０】
よって、本発明によれば、小形スイッチの部品点数が減ると共に、工数が低減され、その分小形スイッチのコストを低減することができる。
【００２１】
なお、本発明は上記実施例に限定されるものではなく、本発明の趣旨に基づき種々の変形が可能であり、これらを本発明の範囲から排除するものではない。
【産業上の利用可能性】
【００２２】
本発明の小形スイッチは、小形スイッチ本体のフランジとパネル間の防水用ゴムとネジリコイルばねの役目を併せ持つように構成した小形スイッチとして利用することができる。
【符号の説明】
【００２３】
１  カバー
２  小形スイッチ本体のフランジ
２Ａ  フランジの凸部
３  エラストマー単品
３Ａ  エラストマーばね部
３Ｂ  小形スイッチ本体のフランジとパネル間の防水用Ｏリング部
４  水
５  パネル
【図１】
2017084708.tif 000003
【図２】
2017084708.tif 000004
【図３】
2017084708.tif 000005
【図４】
2017084708.tif 000006
【図５】
2017084708.tif 000007
【図６】
2017084708.tif 000008
【図７】
2017084708.tif 000009
【図８】
2017084708.tif 000010
【図９】
2017084708.tif 000011
【図１０】
2017084708.tif 000012
【図１１】
2017084708.tif 000013
【図１２】
2017084708.tif 000014
【図１３】
2017084708.tif 000015